(57)【要約】      （修正有）【課題】携帯電話やスマートフォン、タブレットといった携帯端末を清潔にするための紫外線除菌器において、ユーザーに紫外線を照射する間待機している時間を有効に利用する携帯端末洗浄装置の提供。【解決手段】広告等のコンテンツを表示させることによって、携帯端末０１０６の洗浄中にユーザーに生じる待ち時間を有効に利用することができる携帯端末洗浄装置０１０１。携帯端末０１０６を収めるための空間である携帯端末収納空間０１０３と、携帯端末収納空間０１０３に対し所定時間紫外線照射を行う紫外線照射部０１０４と、紫外線照射中にコンテンツを表示するコンテンツ表示部０１０２と、を有する携帯端末洗浄装置０１０１。コンテンツ表示部０１０２とともに、又はこれに代えて、紫外線照射中にカップに対して飲料を注ぐ飲料ディスペンサーを有する携帯端末洗浄装置０１０１。【選択図】図１
2017093938.tif 000002
【特許請求の範囲】
【請求項１】
携帯端末を収めるための空間である携帯端末収納空間と、
携帯端末収納空間に対し所定時間紫外線照射を行う紫外線照射部と、
紫外線照射中にコンテンツを表示する コンテンツ表示部と、
を有する携帯端末洗浄装置。
【請求項２】
前記コンテンツ表示部とともに、又はこれに代えて、紫外線照射中にカップに対して飲料を注ぐ飲料ディスペンサーを有する請求項１に記載の携帯端末洗浄装置。
【請求項３】
飲料ディスペンサーはコーヒー豆をコーヒー粉末に粉砕する粉砕手段、
粉砕されたコーヒー粉末にお湯を注ぐコーヒー抽出手段、
を備えている請求項２に記載の携帯端末洗浄装置。
【請求項４】
紫外線照射部が紫外線を照射する前記所定時間を、飲料ディスペンサーがカップに対して飲料を注ぐ時間に応じて変更する所定時間変更部をさらに有する請求項２又は３に記載の携帯端末洗浄装置。
【請求項５】
コンテンツ表示にて表示されるべきコンテンツを複数保持可能なコンテンツ保持部と、
コンテンツ保持部に保持されるコンテンツのなかから表示すべきコンテンツを選択するコンテンツ選択部と、
を有し、
コンテンツ表示部は、
コンテンツ選択部にて選択されたコンテンツを表示する選択済コンテンツ表示手段をさらに有する請求項１から４のいずれか一に記載の携帯端末洗浄装置。
【請求項６】
携帯端末収納空間に収納された携帯端末の種類である携帯端末種別を取得する携帯端末種別取得部をさらに有し、
コンテンツ選択部は、取得した携帯端末種別に応じてコンテンツの選択を行う携帯端末種別選択手段を有する請求項５に記載の携帯端末洗浄装置。
【請求項７】
外部装置からネットワークを介して所定のルールに従って表示すべきコンテンツを受信するコンテンツ受信部をさらに有し、
コンテンツ表示部は、
コンテンツ受信部にて受信したコンテンツを表示する受信済コンテンツ表示手段をさらに有する請求項１から４のいずれか一に記載の携帯端末洗浄装置。
【請求項８】
紫外線照射中に携帯端末収納空間内に収納された携帯端末に対し電力を転送する非接触電力転送部をさらに有する請求項１から７のいずれか一に記載の携帯端末洗浄装置。
【発明の詳細な説明】
【技術分野】
【０００１】
本発明は、携帯端末を清潔にするための紫外線照射中に広告等のコンテンツを表示させることができる携帯端末洗浄装置に関する。
【背景技術】
【０００２】
携帯電話やスマートフォン、タブレットといった携帯端末は、人の手が頻繁に触れるものであるため、その表面には皮脂や汗のような生体分泌物や細菌等が付着しやすく、非衛生的になりやすいという問題がある。そのため、携帯端末を清潔にするための手段として、たとえば、ハンディタイプの紫外線除菌器が提案されている。
【先行技術文献】
【非特許文献】
【０００３】
【非特許文献１】株式会社フォースメディア、"住宅用紫外線除菌器「インフルセーバー」（JF-UVW1B）"、[online]、[平成27年11月6日検索]、インターネット<URL: http://www.j-force.net/products_discontinued/jf-uvw1b/jf-uvw1b.html>
【発明の概要】
【発明が解決しようとする課題】
【０００４】
しかしながら、上記従来技術においては、ユーザーは紫外線を照射する間待機している必要がある。そのため、携帯端末の洗浄中、ユーザーは他のことをすることができず、待ち時間が生じる。
【０００５】
そこで、本発明は、上記の課題に鑑みて、携帯端末の洗浄中にユーザーに生じる待ち時間を利用して、広告等のコンテンツを表示させることができる携帯端末洗浄装置を提供することを目的とする。
【課題を解決するための手段】
【０００６】
本発明が提供する携帯端末洗浄装置は、具体的には、次のような携帯端末洗浄装置である。
【０００７】
第１発明では、携帯端末を収めるための空間である携帯端末収納空間と、携帯端末収納空間に対し所定時間紫外線照射を行う紫外線照射部と、紫外線照射中にコンテンツを表示するコンテンツ表示部と、を有する携帯端末洗浄装置を提供する。
【０００８】
第２発明では、第１発明を基本として、コンテンツ表示部とともに、又はこれに代えて、紫外線照射中にカップに対して飲料を注ぐ飲料ディスペンサーを有する携帯端末洗浄装置を提供する。
【０００９】
第３発明では、第２発明を基本として、飲料ディスペンサーはコーヒー豆をコーヒー粉末に粉砕する粉砕手段、粉砕されたコーヒー粉末にお湯を注ぐコーヒー抽出手段、を備えている携帯端末洗浄装置を提供する。
【００１０】
第４発明では、第２発明又は第３発明のいずれか一を基本として、紫外線照射部が紫外線を照射する前記所定時間を、飲料ディスペンサーがカップに対して飲料を注ぐ時間に応じて変更する所定時間変更部をさらに有する携帯端末洗浄装置を提供する。
【００１１】
第５発明では、第１発明から第４発明のいずれか一を基本として、コンテンツ表示にて表示されるべきコンテンツを複数保持可能なコンテンツ保持部と、コンテンツ保持部に保持されるコンテンツのなかから表示すべきコンテンツを選択するコンテンツ選択部と、を有し、コンテンツ表示部は、コンテンツ選択部にて選択されたコンテンツを表示する選択済コンテンツ表示手段をさらに有する携帯端末洗浄装置を提供する。
【００１２】
第６発明では、第５発明を基本として、携帯端末収納空間に収納された携帯端末の種類である携帯端末種別を取得する携帯端末種別取得部をさらに有し、コンテンツ選択部は、取得した携帯端末種別に応じてコンテンツの選択を行う携帯端末種別選択手段を有する携帯端末洗浄装置を提供する。
【００１３】
第７発明では、第１発明から第４発明のいずれか一を基本として、外部装置からネットワークを介して所定のルールに従って表示すべきコンテンツを受信するコンテンツ受信部をさらに有し、コンテンツ表示部は、コンテンツ受信部にて受信したコンテンツを表示する受信済コンテンツ表示手段をさらに有する携帯端末洗浄装置を提供する。
【００１４】
第８発明では、第１発明から第７発明のいずれか一を基本として、紫外線照射中に携帯端末収納空間内に収納された携帯端末に対し電力を転送する非接触電力転送部をさらに有する携帯端末洗浄装置を提供する。
【発明の効果】
【００１５】
本発明によれば、ユーザーに生じる待ち時間を有効に利用することが可能な携帯端末洗浄装置を提供できる。
【発明を実施するための形態】
【００１６】
以下に、図を用いて本発明の実施の形態を説明する。なお、本発明はこれらの実施の形態に何ら限定されるものではなく、その要旨を逸脱しない範囲において、種々なる態様で実施しうる。なお、実施形態１は、主に請求項１、５及び８について説明する。実施形態２は、主に請求項６について説明する。実施形態３は、主に請求項７について説明する。実施形態４は、主に請求項２、３、及び４について説明する。
≪実施形態１≫
＜実施形態１：概要＞
【００１７】
本実施形態の携帯端末洗浄装置は、携帯端末の洗浄中にコンテンツを表示することが可能であることを特徴とする。
＜実施形態１：構成＞
【００１８】
ここで、図１を参照する。図１は、本実施形態の携帯端末洗浄装置の全体を示す概念図である。以下、本実施形態の携帯端末洗浄装置の各構成要素について詳述する。
【００１９】
「本体」（０１０１）は、本実施形態の各構成要素が収納された、たとえば箱状の装置である。本体の寸法は特に限定されないが、病院や薬局、ホテルのロビーといった人が滞留しやすい場所に設置することを想定して、邪魔にならない程度の大きさであって、かつ、人の目にとまりやすい程度の高さを有していることが望ましい。
【００２０】
「コンテンツ表示部」（０１０２）は、紫外線照射中にユーザーが閲覧するためのコンテンツを表示する部位である。コンテンツ表示部の寸法は特に限定されないが、ユーザーがコンテンツを閲覧しやすいように、ユーザーの目の高さに合わせて設けられることが望ましい。
【００２１】
表示されるコンテンツとしては、携帯電話の消毒とは無関係な情報である「一般コンテンツ」や、洗浄完了までの時間や紫外線の殺菌効果といった消毒に関する有用な情報である「消毒コンテンツ」が考えられる。一般コンテンツの内容は特に限定されず、企業の広告、ニュースや天気予報といった実用的な情報、ユーザーの娯楽を目的としたアニメーション等、いかなる内容であっても良い。一般コンテンツ及び消毒コンテンツは、同時に表示されても良い。たとえば、広告の表示中に画面の端に洗浄完了までの時間がリアルタイムで表示されるように構成することによって、ユーザーの視線をコンテンツ表示部に固定する効果が期待できる。また、表示されるコンテンツは、ユーザーや携帯端末と何らかの関係性のあるコンテンツであっても良い。
【００２２】
「携帯端末収納空間」（０１０３）は、洗浄を行う間、携帯端末が収納される空間である。収納される携帯端末としては、携帯電話、スマートフォン、タブレット、ノートパソコン、通信機能を備えた音楽プレイヤー、デジタルカメラ、ゲーム機等が考えられる。携帯端末収納空間は、洗浄の対象である携帯端末に応じて、様々な寸法に構成可能である。たとえば、スマートフォンのみを対象としてスマートフォンが収まる程度の容積に構成することや、スマートフォンに加えてタブレットをも対象としてタブレットが収まる程度の容積に構成することが考えられる。
【００２３】
「紫外線照射部」（０１０４）は、携帯端末を洗浄するために携帯端末収納空間に対して所定時間紫外線照射を行う部位である。紫外線照射部の具体例としては、紫外線を放出するランプであるＵＶランプ等が挙げられる。
【００２４】
紫外線とは、波長が１０〜４００ｎｍの電磁波である。ウイルスや細菌は紫外線に弱いため、紫外線照射によって携帯端末の表面に付着したウイルスや細菌を効果的に殺菌することが可能である。紫外線による殺菌は、他の殺菌法と比べて殺菌時間が短く、殺菌後に薬品等の残存物が残らないという利点がある。紫外線の殺菌効果は、殺菌線と呼ばれる波長２５３．７ｎｍ付近の紫外線において最も高くなる。したがって、紫外線照射部は、この殺菌線を効率良く照射するように構成されることが望ましい。
【００２５】
紫外線照射部が携帯端末収納空間の上方に設けられた場合、携帯端末のうち携帯端末収納空間の底面と接する部分には紫外線が届かず、十分な洗浄を行えない可能性がある。そのため、紫外線照射部を携帯端末収納空間の底面の下方にも設けた上で、携帯端末収納空間の底面を、紫外線透過材料を用いて構成することが望ましい。紫外線透過材料としては、具体的には、石英、フッ素樹脂等が考えられる。このように構成することによって、携帯端末収納空間の上下から照射される紫外線が携帯端末の表面全体に到達し、携帯端末全体を洗浄することが可能となる。
【００２６】
ここで、図２を参照する。図２は、本実施形態の携帯端末洗浄装置における紫外線照射の一例を示す概念図である。図２に示すように、本実施形態の携帯端末収納空間は、さらに、「紫外線反射板」（０２０７）を備えていても良い。「紫外線反射板」は、携帯端末収納空間の左右に設けられることが望ましい。このように構成することによって、紫外線反射板を介して携帯端末の左右からも紫外線が照射されることとなり、より効率良く携帯端末全体を洗浄することが可能となる。
【００２７】
「カバー」（０１０５）は、紫外線照射中に携帯端末収納空間とユーザーとの間を遮蔽する部位であり、紫外線がユーザーの目に入ることを防ぐ機能を有する。カバーの材質は特に限定されないが、紫外線遮蔽率の高い材料によって構成されることが望ましい。
【００２８】
「時間制御部」は、紫外線照射時間を制御する部位である。図１に示すように、たとえば、紫外線照射時間が表示された複数のボタンを配置し、ユーザーが所望のボタンを押すことによって紫外線照射時間を制御することが考えられる。
【００２９】
本実施形態の携帯端末洗浄装置は、この他に、「非接触電力転送部」を備えていても良い。「非接触電力転送部」は、紫外線照射中に携帯端末収納空間内の携帯端末に対し電力を転送する部位である。非接触電力転送の具体的な方法としては、電磁誘導方式、電波受信方式、共鳴方式等が考えられる。このように構成することによって、携帯端末の洗浄中に当該携帯端末の充電をも同時に行うことが可能となる。
【００３０】
ここで、図３を参照する。図３は、本実施形態の携帯端末洗浄装置の構成の一例を示す機能ブロック図である。以下、図を参照しながら、本実施形態の携帯端末洗浄装置における処理の流れの一例を詳述する。
【００３１】
まず、ユーザーは携帯端末収納空間に携帯端末を配置し、カバーを閉める。ここで、カバーがドアロック機構と連動する構成とすることも考えられる。具体的には、ドアロック検出部が、正しくカバーが閉められてロックされたことを検出し、ロックが完了した旨の情報を時間制御部に伝達し、時間制御部は、ロックが完了した旨の情報が伝達されない限り、紫外線照射が開始されないように紫外線照射部を制御する、といった具合である。このように構成することによって、カバーが開いた状態で紫外線照射が開始されて紫外線がユーザーの目に入ることを防止することができる。
【００３２】
また、ユーザーがタイマー選択部を操作することによって、所望の紫外線照射時間を決定する構成とすることも考えられる。具体的には、タイマーが決定された紫外線照射時間に基づいて作動し、時間制御部と連動して、紫外線照射時間の経過後に紫外線照射が終了するように紫外線照射部を制御する、といった具合である。
【００３３】
携帯端末の洗浄中には、以下のような流れでコンテンツが表示される。ここで、コンテンツ保持部において、コンテンツ表示部にて表示されるべきコンテンツが複数保持されている構成とすることが考えられる。具体的には、コンテンツ選択部が、複数のコンテンツの中から表示すべきコンテンツを選択し、選択されたコンテンツが選択済コンテンツとしてコンテンツ表示部に伝達され、選択済コンテンツ表示手段を備えたコンテンツ表示部によって、選択済コンテンツが表示される、といった具合である。
【００３４】
なお、コンテンツの選択は、様々な情報に基づき行うことができる。たとえば、現在の時刻を取得して、食事の時間帯であれば近隣の飲食店の広告を表示したりすることが考えられる。また、ユーザーが所望のコンテンツをボタン等で選択する方法で行われても良い。たとえば、ユーザーは、広告又は娯楽映像のいずれの閲覧を希望するかボタンで選択し、前者が選択された場合は広告を表示し、後者が選択された場合は娯楽映像を表示する、といった具合である。
【００３５】
ここで、図４を参照する。図４は、本実施形態の携帯端末洗浄装置の構成の一例を示す機能ブロック図である。図４に示すように、本実施形態の携帯端末洗浄装置は、さらに、「表示コンテンツ及び関連コンテンツ伝達部」を備えていても良い。
【００３６】
「表示コンテンツ及び関連コンテンツ伝達部」とは、前記コンテンツ表示部にて表示されるべきコンテンツ及びそれらのコンテンツと関連性のあるコンテンツを携帯端末収納空間内の携帯端末に対して伝達する部位である。具体的には、赤外線通信手段やＢｌｕｅｔｏｏｔｈ（登録商標）等を利用して伝達することが考えられる。関連コンテンツの例としては、同様の携帯端末洗浄装置を備えた周辺施設の位置を示す地図が挙げられる。このような関連コンテンツが携帯端末に伝達されることによって、ユーザーは、一つの施設を離れた後も別の施設で同様の携帯端末洗浄装置を利用することが可能となり、本実施形態の携帯端末洗浄装置によるサービス提供の拡大に役立つ。
【００３７】
ここで、図５を参照する。図５は、本実施形態の携帯端末洗浄装置の別の構成を示す概念図である。図５に示すように、本実施形態の携帯端末洗浄装置は、携帯端末収納空間を複数備えていても良い。このように構成することによって、複数のユーザーが同時に携帯端末の洗浄を行うことが可能となる。
【００３８】
さらに、本実施形態の携帯端末洗浄装置は、携帯端末収納空間と同数のコンテンツ表示部を備えていることが望ましい。コンテンツ表示部は、本体に付属していても良いが、複数のユーザーに対して同時にコンテンツ表示を行う場合、コンテンツ表示部が本体から分離可能である構成の方がより効果的にコンテンツ表示を行うことができる。たとえば、携帯端末収納空間と同数のタブレット端末が本体に収納又は別途装置の周辺に配置されており、携帯端末収納空間に携帯端末を置いたユーザーに対してタブレット端末が提供され、ユーザーは携帯端末が洗浄されるまでの間、タブレット端末によって表示されるコンテンツを閲覧する、といった具合である。
＜実施形態１：効果＞
【００３９】
本実施形態の携帯端末洗浄装置によれば、紫外線照射中にコンテンツ表示及び携帯端末の充電を行うことによって、ユーザーに生じる待ち時間を有効に利用することが可能な携帯端末洗浄装置を提供できる。
≪実施形態２≫
＜実施形態２：概要＞
【００４０】
コンテンツ表示においては、特に広告を表示する場合、ユーザーのニーズに合ったコンテンツを表示することでより高い宣伝効果が得られる。本実施形態の携帯端末洗浄装置は、洗浄中にコンテンツを表示することが可能な携帯端末洗浄装置であって、かつ、複数のコンテンツの中からユーザーの携帯端末に応じたコンテンツを選択して表示することを特徴とする。
＜実施形態２：構成＞
【００４１】
本実施形態の携帯端末洗浄装置は、「本体」と、「携帯端末収納空間」と、「紫外線照射部」と、「コンテンツ表示部」と、からなり、さらに、「携帯端末種別取得部」と、「コンテンツ保持部」と、「コンテンツ選択部」と、を有する。「本体」、「携帯端末収納空間」、及び「紫外線照射部」に関しては、実施形態１で説明したところと同様であるので、説明を省略する。また、「コンテンツ表示部」に関しては、以下に述べる点を除いて、実施形態１で説明したところと同様である。
【００４２】
「携帯端末種別取得部」は、携帯端末収納空間に収納された携帯端末の種類である携帯端末種別を取得する部位である。したがって、携帯端末種別取得部は、携帯端末収納空間と有線又は無線で接続される必要がある。取得する携帯端末種別は、携帯端末が従来型の携帯電話かスマートフォンかといった情報であっても良く、より詳細に、スマートフォンの機種やキャリア等に関する情報であっても良い。
【００４３】
本実施形態の携帯端末洗浄装置の「コンテンツ表示部」は、「選択済コンテンツ表示手段」をさらに有する。「選択済コンテンツ表示手段」は、後に詳述するコンテンツ選択部にて選択されたコンテンツを表示する機能を有する。
【００４４】
「コンテンツ保持部」は、コンテンツ表示部にて表示されるべきコンテンツを複数保持する部位である。コンテンツ保持部の具体例としては、不揮発性メモリ等が考えられる。多数の大容量のコンテンツを保持できるように、コンテンツ保持部は十分な記憶容量を備えていることが望ましい。
【００４５】
「コンテンツ選択部」は、コンテンツ保持部に保持されるコンテンツの中から表示すべきコンテンツを選択する部位である。本実施形態の携帯端末洗浄装置のコンテンツ選択部は、「携帯端末種別選択手段」を有する。「携帯端末種別選択手段」は、携帯端末種別取得部が取得した携帯端末種別に応じてコンテンツの選択を行う部位である。
【００４６】
具体的には、携帯端末種別が従来型の携帯電話であれば、スマートフォンへの乗り換えを促すコンテンツを選択することが考えられる。また、携帯端末種別が特定のゲーム機であれば、そのゲーム機に対応したゲームソフトの広告を選択することが考えられる。さらに、携帯端末種別が最新の機種でなければ、最新の機種への買い替えやバージョンアップを促すコンテンツを選択することが考えられる。このように、ユーザーの携帯端末に応じたコンテンツが選択されることによって、単にランダムにコンテンツを選択して表示するよりも、より高い宣伝効果が得られる。
【００４７】
なお、コンテンツの選択は、携帯端末種別選択手段を介した方法以外にも、様々な方法で行うことができる。たとえば、現在の時刻を取得して、食事の時間帯であれば近隣の飲食店の広告を表示したりすることが考えられる。また、ユーザーが所望のコンテンツをボタン等で選択する方法で行われても良い。たとえば、ユーザーは、広告又は娯楽映像のいずれの閲覧を希望するかボタンで選択し、前者が選択された場合は携帯端末種別に応じた広告を表示し、後者が選択された場合は娯楽映像を表示する、といった具合である。
【００４８】
ここで、図６を参照する。図６は、本実施形態の携帯端末洗浄装置の構成の一例を示す機能ブロック図である。図６に示すように、本実施形態の携帯端末洗浄装置においては、携帯端末種別取得部がコンテンツ選択部と連動しており、携帯端末種別取得部が取得した携帯端末種別がコンテンツ選択部の携帯端末種別選択手段に伝達されることによって、ユーザーの携帯端末種別に応じた適切なコンテンツが選択される。
【００４９】
ここで、図７を参照する。図７は、本実施形態の携帯端末洗浄装置の構成の一例を示す機能ブロック図である。図７に示すように、本実施形態の携帯端末洗浄装置は、さらに、「ユーザー属性取得部」を備えていても良い。「ユーザー属性取得部」とは、年齢や性別といったユーザー自身に関する属性情報を取得する部位である。ユーザー属性の取得は、具体的には、ユーザーが自分の年齢を入力する等の手段によって行うことが考えられる。ユーザー属性取得部はコンテンツ選択部と連動しており、ユーザー属性取得部が取得したユーザー属性がコンテンツ選択部に伝達されることによって、よりユーザーのニーズに合致したコンテンツを表示することが可能となる。
＜実施形態２：効果＞
【００５０】
本実施形態の携帯端末洗浄装置によれば、紫外線照射中にユーザーの携帯端末に応じたコンテンツ表示を行うことによって、ユーザーに生じる待ち時間を有効に利用することが可能な携帯端末洗浄装置を提供できる。
≪実施形態３≫
＜実施形態３：概要＞
【００５１】
コンテンツ表示においては、ニュースや天気予報といった実用的な情報を表示する場合、ネットワークを介したアップデートによってコンテンツの内容を常に最新の状態に保つことが重要である。本実施形態の携帯端末洗浄装置は、洗浄中にコンテンツを表示することが可能な携帯端末洗浄装置であって、かつ、ネットワークを介して受信したコンテンツを表示することを特徴とする。
＜実施形態３：構成＞
【００５２】
本実施形態の携帯端末洗浄装置は、「本体」と、「携帯端末収納空間」と、「紫外線照射部」と、「コンテンツ表示部」と、からなり、さらに、「コンテンツ受信部」を有する。「本体」、「携帯端末収納空間」、及び「紫外線照射部」に関しては、実施形態１で説明したところと同様であるので、説明を省略する。また、「コンテンツ表示部」に関しては、以下に述べる点を除いて、実施形態１で説明したところと同様である。
【００５３】
「コンテンツ受信部」は、外部装置からネットワークを介して所定のルールに従って表示すべきコンテンツを受信する部位である。所定のルールの具体例としては、たとえば、地震や気象警報といった緊急事態に関する情報が発信された場合には、当該情報を優先的に受信して表示する、といったルールが考えられる。また、コンテンツ毎に決められた所定の掲載期間が終了したり、所定の回数や一定時間表示されたりといった条件が満たされた場合には、新しいコンテンツと交換する、といったルールも考えられる。
【００５４】
本実施形態の携帯端末洗浄装置の「コンテンツ表示部」は、「受信済コンテンツ表示手段」をさらに有する。「受信済コンテンツ表示手段」は、コンテンツ受信部にて受信したコンテンツを表示する機能を有する。
＜実施形態３：効果＞
【００５５】
本実施形態の携帯端末洗浄装置によれば、紫外線照射中に最新の情報に基づくコンテンツ表示を行うことによって、ユーザーに生じる待ち時間を有効に利用することが可能な携帯端末洗浄装置を提供できる。
≪実施形態４≫
＜実施形態４：概要＞
【００５６】
ユーザーに出来立てのコーヒー等の飲料を提供する飲料ディスペンサーにおいては、原料から飲料を抽出するために一般に数十秒程度の時間を要する。そこで、飲料ディスペンサーにおいて生じる待ち時間に携帯端末の洗浄を行い、短い待ち時間で携帯端末の洗浄と飲料の提供を同時に行うことで、ユーザーに生じる待ち時間を有効に利用することが可能である。飲料ディスペンサーにおいて生じる待ち時間は、ユーザーが装置を占有しているため、コンテンツ表示及び携帯端末の洗浄に適している。本実施形態の携帯端末洗浄装置は、洗浄中にコンテンツを表示することが可能な携帯端末洗浄装置であって、かつ、洗浄終了と同時に出来立ての飲料が提供されることを特徴とする。
＜実施形態４：構成＞
【００５７】
本実施形態の携帯端末洗浄装置は、「本体」と、「携帯端末収納空間」と、「紫外線照射部」と、「コンテンツ表示部」と、からなり、さらに、「飲料ディスペンサー」と、「所定時間変更部」と、を有する。「本体」及び「携帯端末収納空間」に関しては、実施形態１で説明したところと同様であるので、説明を省略する。また、「紫外線照射部」に関しては、以下に述べる点を除いて、実施形態１で説明したところと同様である。
【００５８】
「飲料ディスペンサー」は、カップに対して飲料を注ぐことによってユーザーに飲料を提供する部位であって、コーヒー豆をコーヒー粉末に粉砕する「粉砕手段」及び粉砕されたコーヒー粉末にお湯を注ぐ「コーヒー抽出手段」を備えていることを特徴とする。これによって、本実施形態の携帯端末洗浄装置を利用して、出来立てのコーヒーをユーザーに提供することが可能となる。提供される飲料の種類としては、コーヒー以外にも、紅茶、緑茶、ジュース、スポーツドリンク等が考えられ、飲料の種類に応じた抽出装置を設けることによって、様々な種類の飲料を出来立ての状態で提供することが可能となる。
【００５９】
「所定時間変更部」は、紫外線照射部が紫外線を照射する時間を、飲料ディスペンサーがカップに対して飲料を注ぐ時間に応じて変更する部位である。これによって、携帯端末の洗浄と飲料の抽出が同時に完了し、ユーザーに生じる待ち時間を最小限度にすることが可能となる。
【００６０】
本実施形態の携帯端末洗浄装置の「紫外線照射部」においては、紫外線を照射する所定時間が、所定時間変更部によって変更される。そのため、紫外線照射部の紫外線照度が一定である場合、抽出が短時間で終了する飲料を提供する際には、照射時間が短く十分な紫外線照射量が得られないおそれがある。したがって、紫外線照射部は、ランプ出力調整等によって照射時間に応じて紫外線照度を変更できるように構成されることが望ましい。
【００６１】
ここで、図８を参照する。図８は、本実施形態の携帯端末洗浄装置の構成の一例を示す機能ブロック図である。以下、図を参照しながら、本実施形態の携帯端末洗浄装置における処理の流れの一例を詳述する。
【００６２】
まず、ユーザーは携帯端末収納空間に携帯端末を配置し、カバーを閉める。カバーはドアロック機構と連動しており、ドアロック検出部は、正しくカバーが閉められてロックされたことを検出する。ドアロック検出部は、ロックが完了した旨の情報を時間制御部に伝達する。時間制御部は、ロックが完了した旨の情報が伝達されない限り、紫外線照射が開始されないように紫外線照射部を制御する。
【００６３】
次に、ユーザーは飲料ディスペンサーを操作し、所望の飲料をボタン等によって選択する。すると、所定時間変更部においてユーザーが選択した飲料を抽出するために必要な時間が取得される。所定時間変更部は、取得した時間を紫外線照射部に対して伝達し、飲料の抽出と携帯端末の洗浄が同時に終了するように、紫外線照射部における照射時間を変更する。所定の照射時間が経過すると、飲料が提供されると共に、ドアロックが解除され、ユーザーが洗浄された携帯端末を手にすることが可能となる。
＜実施形態４：効果＞
【００６４】
本実施形態の携帯端末洗浄装置によれば、紫外線照射中にコンテンツ表示及び飲料の提供を行うことによって、ユーザーに生じる待ち時間を有効に利用することが可能な携帯端末洗浄装置を提供できる。
【図面の簡単な説明】
【００６５】
【図１】実施形態１の携帯端末洗浄装置の全体を示す概念図
【図２】実施形態１の携帯端末洗浄装置における紫外線照射の一例を示す概念図
【図３】実施形態１の携帯端末洗浄装置の構成の一例を示す機能ブロック図
【図４】実施形態１の携帯端末洗浄装置の構成の一例を示す機能ブロック図
【図５】実施形態１の携帯端末洗浄装置の別の構成を示す概念図
【図６】実施形態２の携帯端末洗浄装置の構成の一例を示す機能ブロック図
【図７】実施形態２の携帯端末洗浄装置の構成の一例を示す機能ブロック図
【図８】実施形態４の携帯端末洗浄装置の構成の一例を示す機能ブロック図
【符号の説明】
【００６６】
本体  ０１０１
コンテンツ表示部  ０１０２
携帯端末収納空間  ０１０３
紫外線照射部  ０１０４
カバー  ０１０５
携帯端末  ０１０６
紫外線反射板  ０２０７
【図１】
2017093938.tif 000003
【図２】
2017093938.tif 000004
【図３】
2017093938.tif 000005
【図４】
2017093938.tif 000006
【図５】
2017093938.tif 000007
【図６】
2017093938.tif 000008
【図７】
2017093938.tif 000009
【図８】
2017093938.tif 000010